(57)【要約】【課題】干渉を抑えながら天井又は壁等に設置することができる軽量かつ薄型のスピーカを提供することを目的とする。【解決手段】静電スピーカユニットは、指向性の強い平面波を振動面の法線方向に出力する。静電スピーカユニットの第１の面（背面）から出力された音は、吸音材が静電スピーカユニットの表面積以上の表面積を有するため、当該吸音材に吸音される。仮に、吸音材で吸音されない残りの音が存在しても、遮音材により音が通過することを防ぎ、他の物に反射して静電スピーカユニットの第２の面（正面）から出力された音波に干渉することはない。なお、遮音材は、壁又は天井そのものであってもよいし、別途薄い遮音材を設けてもよい。【選択図】図２
2014165862.tif 000002
【特許請求の範囲】
【請求項１】
静電スピーカユニットを備えたスピーカであって、
前記静電スピーカユニットの第１の面側に設けられ、かつ、少なくとも前記静電スピーカユニットの表面積以上の吸音材が配置され、
前記吸音材のうち前記静電スピーカユニットが配置された側と反対側に設けられ、かつ、少なくとも前記静電スピーカユニットの表面積以上の遮音材が配置され、
前記静電スピーカユニット、前記吸音材、および前記遮音材を保持する保持部材
を備えるスピーカ。
【請求項２】
前記保持部材は、前記静電スピーカユニット、前記吸音材、および前記遮音材を一体に収納する筐体形状からなる
請求項１に記載のスピーカ。
【請求項３】
前記保持部材は、ダンボール又はポリプロピレン発泡シートからなる
請求項１または請求項２に記載のスピーカ。
【請求項４】
前記保持部材は、前記静電スピーカユニットの第２の面側に媒体貼り付け用の貼り付け面を備える
請求項１乃至請求項３のいずれかに記載のスピーカ。
【請求項５】
前記貼り付け面は、前記媒体が繰り返し剥離可能な材質になっている
請求項４に記載のスピーカ。
【請求項６】
前記吸音材は、ポリウレタンフォームからなる
請求項１乃至５のいずれかに記載のスピーカ。
【発明の詳細な説明】
【技術分野】
【０００１】
本発明は、入力された音声信号に基づいて放音するスピーカに関する。
【背景技術】
【０００２】
従来、一般的なスピーカとしては、ダイナミック型スピーカユニットを備えたダイナミック型スピーカが知られている（特許文献１を参照。）。ダイナミック型スピーカユニットは、電磁力で振動面を振動させるために永久磁石を備える。
【０００３】
また、ダイナミック型スピーカユニットは、永久磁石を備えることにより重くなるため、天井や壁に設置するために十分な強度が必要になる。
【０００４】
そこで、シート形状の静電スピーカを用いることが考えられる。静電スピーカは、軽量であるため特別な補強をせずとも天井又は壁に設置可能である。
【先行技術文献】
【特許文献】
【０００５】
【特許文献１】特開昭６３−９０２９９号公報
【発明の概要】
【発明が解決しようとする課題】
【０００６】
しかし、静電スピーカは、振動面の両面から該振動面の法線方向に平面波を出力するため、一方の面を天井や壁等に設置すると、当該一方の面から出力された音波が当該天井や壁等に反射し、他方の振動面から出力された音波に干渉することがある。
【０００７】
そこで、本発明は、干渉を抑えながら天井又は壁等に設置することができる軽量かつ薄型のスピーカを提供することを目的とする。
【課題を解決するための手段】
【０００８】
本発明のスピーカは、静電スピーカユニットを備え、前記静電スピーカユニットの第１の面側に設けられ、かつ、少なくとも前記静電スピーカユニットの表面積以上の吸音材が配置され、前記吸音材のうち前記静電スピーカユニットが配置された側と反対側に設けられ、かつ、少なくとも前記静電スピーカユニットの表面積以上の遮音材が配置され、前記静電スピーカユニット、前記吸音材、および前記遮音材を保持する保持部材を備える。
【０００９】
一般的に、スピーカは、前後それぞれ逆方向に互いに逆位相となる音波を放射状に出力する。一方の方向に出力された音波は、他方の方向に回り込むため干渉が発生する。特に、低音は、高音に比べ指向性が弱いため干渉しやすい。そこで、一般的なスピーカは、干渉を防ぐため、バッフル及びエンクロージャを必要とする。また、エンクロージャは、振動面の振幅を確保するために、十分な空間容積を必要とする。
【００１０】
一方、静電スピーカユニットは、指向性の強い平面波を振動面の法線方向（すなわち、振動面の正面側及び背面側）に出力するため、出力された平面波が互いの方向に回り込みにくい。そこで、本発明のスピーカは、バッフル及びエンクロージャを設けずとも、背面に吸音材を設けることで背面方向の音（平面波）だけを消し、回り込みによる干渉を防ぐ。
【００１１】
また、静電スピーカユニットは、回り込みやすくかつ吸音されにくい低音をほとんど出力しない。よって、本発明のスピーカは、吸音材だけでも十分に背面方向の音を消すことができる。
【００１２】
さらに、吸音材は、保持部材により静電スピーカユニットと遮音材との間に保持される。静電スピーカユニットの第１の面（背面）から出力された音は、吸音材が静電スピーカユニットの表面積以上の表面積を有するため、当該吸音材に吸音される。仮に、吸音材で吸音されない残りの音が存在しても、遮音材により音が通過することを防ぎ、他の物に反射して静電スピーカユニットの第２の面（正面）から出力された音波に干渉することはない。なお、遮音材は、壁又は天井そのものであってもよいし、別途薄い遮音材を設けてもよい。
【００１３】
これにより、本発明のスピーカは、バッフル及びエンクロージャを設けない軽量かつ薄型の構造であっても、静電スピーカユニットの第１の面から出力された音が、例えば天井や壁に反射して、静電スピーカユニットの第２の面から出力された直接音に干渉することを防ぐことができる。よって、本発明のスピーカは、静電スピーカユニットの第１の面側（背面側）を天井又は壁等に設置可能である。
【００１４】
なお、前記保持部材は、前記静電スピーカユニット、前記吸音材、および前記遮音材を一体に収納する筐体形状からなってもよい。
【００１５】
この構成において、スピーカは、静電スピーカユニットの第１の面から出力された音を外部に出力しないため、静電スピーカユニットの第１の面側に音を反射させる物が存在しても設置可能である。さらに、保持部材が静電スピーカユニット、吸音材、および遮音材を一体に収納するため、スピーカは、可搬性に優れ、かつ設置性が良い。
【００１６】
前記保持部材は、ダンボール又はポリプロピレン発泡シートからなることが望ましい。
【００１７】
ダンボール及びポリプロピレン発泡シートは、静電スピーカユニット、遮音材、及び吸音材を保持するために必要な強度を備えつつ、部材として軽量である。よって、ダンボール及びポリプロピレン発泡シートは、軽量なスピーカを天井又は壁等に設置するためには望ましい材料である。
【００１８】
また、前記保持部材は、前記静電スピーカユニットの第２の面側に媒体貼り付け用の貼り付け面を備える態様であっても構わない。
【００１９】
さらに、前記貼り付け面は、前記媒体が繰り返し剥離可能な材質になっていてもよい。
【００２０】
この場合、スピーカは、視覚による情報提供用の媒体（例えばポスター）を貼り付け面に貼り付けた態様で設置可能である。
【００２１】
また、前記吸音材は、ポリウレタンフォームからなることが望ましい。
【００２２】
ポリウレタンフォームは、グラスウール等の吸音材に比べ、表面を平滑に成形可能である。静電スピーカユニットは、表面を平滑にしたポリウレタンフォームからなる吸音材と重ねて保持されることで、表面を平滑な形状に維持される。また、ポリウレタンフォームは、吸音率が高く、加工性がよく、例えば、厚みが均一な板形状に加工でき、かつ低コストでもある。
【発明の効果】
【００２３】
本発明によれば、スピーカは、静電スピーカユニットの薄型かつ軽量である特徴を活かしつつ、例えば天井又は壁等に設置したとしても干渉を抑えることができる。
【図面の簡単な説明】
【００２４】
【図１】実施形態１に係るスピーカ１の下面の斜投影図である。
【図２】実施形態１に係るスピーカ１の設置状態を示す図である。
【図３】実施形態１に係るスピーカ１の放音特性を示すグラフである。
【図４】実施形態２に係るスピーカ２を示す図である。
【図５】スピーカ２の変形例に係るスピーカ２Ａの正面の斜投影図である。
【図６】スピーカ２Ａの設置状態を示す図である。
【図７】実施形態３に係るスピーカ３の正面の斜投影図である。
【発明を実施するための形態】
【００２５】
実施形態１に係るスピーカ１について、図１および図２を用いて説明する。図１は、スピーカ１の下面の斜投影図である。図２は、スピーカ１が壁面Ｗに設置されたときのＡ−Ａ断面図である。
【００２６】
スピーカ１は、アンプ１４とスピーカケーブル１５を介して接続されている。スピーカ１は、アンプ１４から出力される音声信号に基づいて、放音するものである。
【００２７】
スピーカ１は、図１に示すように、高さ方向（図中Ｙ、−Ｙ方向）に長く、厚み（図中Ｚ、−Ｚ方向）が薄い直方体形状である。スピーカ１の正面（図中Ｚ側の面）及び背面（図中−Ｚ側の面）は、それぞれ高さが紙の工業規格の寸法Ａ０に等しい。スピーカ１の正面及び背面は、それぞれ幅（図中Ｘ、−Ｘ方向）が紙の工業規格の寸法Ａ０よりわずかに（例えば３ｃｍ）長い。スピーカ１の厚みは、例えば４ｃｍである。以下、図１において、スピーカ１のＹ側の面を上面とし、−Ｙ側の面を下面とし、Ｘ側の面を右側面とし、−Ｘ側の面を左側面とする。ただし、スピーカ１の正面及び背面の形状は、紙の工業規格の寸法Ａ０に限らず、任意である。例えば、スピーカ１の正面及び背面は、紙の工業規格の寸法Ｂ１又は寸法Ｂ２に等しくてもよいし、他の規格（例えば建築材料の寸法規格）に応じた寸法であってもよいし、規格によらない高さ又は幅であってもよい。
【００２８】
スピーカ１は、保持枠１０Ｌ、保持枠１０Ｒ、静電スピーカユニット１１、および吸音スポンジ１２からなる。
【００２９】
静電スピーカユニット１１は、図１に示すように、高さ方向に長い矩形のシート形状であり、薄型かつ軽量のスピーカユニットである。静電スピーカユニット１１の表面（ＸＹ平面）は、スピーカ１の正面と略同じ形状であり、幅がスピーカ１の幅よりわずかに（例えば３ｃｍ）短い。静電スピーカユニット１１の厚みは例えば１．５ｍｍである。
【００３０】
吸音スポンジ１２は、図１に示すように、高さ方向に長く、かつ厚みが薄い直方体形状である。吸音スポンジ１２の高さは、静電スピーカユニット１１の高さと同じである。吸音スポンジ１２の幅は、静電スピーカユニット１１の幅より左右方向にそれぞれ例えば１ｃｍ長い。吸音スポンジ１２の厚みは、例えば３ｃｍである。吸音スポンジ１２は、軽量かつ吸音率の高い材料（例えばポリウレタンフォーム）からなる。
【００３１】
吸音スポンジ１２の正面（図中Ｚ側の面）は、図１に示すように、静電スピーカユニット１１の裏面（図中−Ｚ側の面）に当接している。
【００３２】
保持枠１０Ｌおよび保持枠１０Ｒは、それぞれ静電スピーカユニット１１及び吸音スポンジ１２を保持するための強度を備えた軽量な発泡シートからなる。発泡シートは、ポリプロピレンを押出発泡成形してなる。保持枠１０Ｌおよび保持枠１０Ｒは、図１に示すように、それぞれ高さ方向に長い。保持枠１０Ｌ（および保持枠１０Ｒ）は、スピーカ１の左側面（および右側面）に配置される。保持枠１０Ｌは、前面部１００Ｌおよび側面部１０１Ｌからなる。保持枠１０Ｌは、図２に示すように、スピーカ１を−Ｙ方向に見たときに、Ｌ字型をなしている。保持枠１０Ｒは、前面部１００Ｒおよび側面部１０１Ｒからなる。保持枠１０Ｒは、スピーカ１を−Ｙ方向に見たときに、左右反転したＬ字型をなしている。
【００３３】
前面部１００Ｌおよび前面部１００Ｒは、図２に示すように、それぞれ静電スピーカユニット１１よりもスピーカ１の正面方向に配置されている。前面部１００Ｌおよび前面部１００Ｒは、スピーカ１の正面視において、静電スピーカユニット１１の左右の縁に重なるようにそれぞれ配置されている。
【００３４】
スピーカ１は、図２に示すように、背面を壁面Ｗに対向させるように設置される。すなわち、吸音スポンジ１２は、壁面Ｗから最も近くに配置される。保持枠１０Ｌの背面側および吸音スポンジ１２の背面の一部は、両面テープ１６によって、それぞれ壁面Ｗに接着される。保持枠１０Ｒの背面側も、両面テープ１６によって、それぞれ壁面Ｗに接着される。
【００３５】
前面部１００Ｌおよび前面部１００Ｒは、保持枠１０Ｌおよび保持枠１０Ｒが接着されることにより、静電スピーカユニット１１および吸音スポンジ１２の右縁および左縁を、図２の紙面上側（壁面Ｗが存在する側）にそれぞれ抑える。その結果、保持枠１０Ｌおよび保持枠１０Ｒは、図２に示すように、それぞれ静電スピーカユニット１１、吸音スポンジ１２および壁面Ｗの配置を保持する。
【００３６】
スピーカケーブル１５を通す孔１３は、側面部１０１Ｒに設けられている。スピーカケーブル１５の一端は、静電スピーカユニット１１に接続される。スピーカケーブル１５の他端は、アンプ１４に接続される。アンプ１４から出力される音声信号は、静電スピーカユニット１１の内部の振動面を該振動面の法線方向に振動させる。その結果、静電スピーカユニット１１は、スピーカ１の正面に平行な平面波を、正面方向および背面方向に出力する。
【００３７】
スピーカ１の背面方向に出力された平面波は、吸音スポンジ１２によって吸収される。吸音スポンジ１２は、正面の面積が静電スピーカユニット１１の表面積より大きいため、平面波全体を吸収できる。仮に、吸収しきれずに吸音スポンジ１２を通過する平面波があったとしても、当該平面波は、本発明の遮音材に相当する壁面Ｗを通過しない。壁面Ｗで反射した反射波は、壁面Ｗが静電スピーカユニット１１と平行であるため、壁面Ｗに到達する平面波と真逆の方向に進行する。すなわち、反射波は、吸音スポンジ１２の背面（−Ｚ側の面）に戻り、スピーカ１の外側に広がらない。反射波は、吸音スポンジ１２に到達すると、再び吸収される。その結果、静電スピーカユニット１１からスピーカ１の背面方向に出力された平面波は、吸音スポンジ１２によって吸収され、スピーカ１の正面方向に出力された平面波と干渉を起こさない。
【００３８】
図３は、スピーカ１の放音特性を示すグラフである。横軸は、スピーカ１から放音された音の周波数であり、縦軸は、スピーカ１から放音された音の音圧である。音圧の測定位置は、スピーカ１からスピーカ１の正面方向に１ｍ離れた位置である。
【００３９】
図３において、実線は、壁面Ｗに設置したときのスピーカ１の放音特性である。点線は、吸音スポンジ１２を備えない静電スピーカユニット１１だけの放音特性であって、静電スピーカユニット１１の背面方向に音を反射させる物（例えば壁面Ｗ）を配置していないときの放音特性である。すなわち、点線は、静電スピーカユニット１１の背面方向に出力された音が反射して正面方向に回り込むことがないため、理想的な放音特性である。破線は、吸音スポンジ１２を配置せず、静電スピーカユニット１１の背面方向に３ｃｍ離れた位置に壁面Ｗを配置した時の放音特性である。すなわち、破線は、壁面Ｗで反射した反射音が静電スピーカユニット１１の正面側に発生する直接音に干渉したときの放音特性である。
【００４０】
直接音は、反射音の干渉を受けると、同位相同士なら音を強め、逆位相同士なら音を弱める。よって、図３の破線に示すように、干渉を受けた直接音は、特定の周波数帯域において、理想的な放音特性より、音圧が高くなったり、低くなったりする。特に、干渉を受けた直接音は、低域側の音圧の落ち込みが大きい。図３の例では、ピークの音圧から１０ｄＢ低い音圧となる低い方の周波数（以下、再生低周波数と称す。）について、理想的な放音特性の再生低周波数は、４００Ｈｚであるのに対し、直接音に干渉がある場合の再生低周波数は、５００Ｈｚとなっている。
【００４１】
一方、スピーカ１の放音特性は、図３の破線に示す放音特性に対し、理想的な放音特性に近づいている。特に、スピーカ１の４００Ｈｚ以上の放音特性は、理想的な放音特性に略等しい。また、スピーカ１の再生低周波数は、４００Ｈｚであり、理想的な放音特性の再生低周波数に等しい。さらに、スピーカ１の放音特性は、４００Ｈｚ未満の帯域においても、図３の破線に示す放音特性より音圧が高く、理想的な放音特性に近づいている。すなわち、スピーカ１は、干渉による低域の音圧低下を防止している。
【００４２】
以上のように、スピーカ１は、静電スピーカユニット１１の軽量かつ薄型である特徴を活かしつつ、背面を壁面Ｗに設置したとしても干渉を抑えることができる。
【００４３】
なお、吸音スポンジ１２の正面の面積は、平面波が放射状に広がらないため、少なくとも静電スピーカユニット１１の表面積と同じであればよい。
【００４４】
なお、スピーカ１を壁面Ｗに設置せず、天井に設置してもよいし、遮音効果のある樹脂板に貼り付ける態様であっても構わない。例えば、スピーカ１は、樹脂板からなるパーティションに貼り付けられてもよい。この場合、スピーカ１は、壁面および天井に限らず、設置可能である。
【００４５】
なお、スピーカ１は、吸音する部材として、ポリウレタンフォームからなる吸音スポンジ１２を備えるが、他の部材であっても構わない。
【００４６】
例えば、より吸音率が高い吸音部材は、厚みが薄くても吸音できるため、スピーカ１の厚みを薄くすることができる。吸音率が高い吸音部材としては、ポリウレタンフォームまたはグラスウールが適している。
【００４７】
また、例えば、より表面が平滑な吸音材を用いれば、当該吸音材と接する静電スピーカユニット１１の振動面及び電極面は平滑になりやすい。その結果、スピーカ１は、静電スピーカユニット１１の振動面及び電極面の凸凹形状に起因する平面波の歪みを抑え、平面波の指向性を維持しやすくなる。表面を平滑にしやすい吸音部材としては、ポリウレタンフォームまたは表面に平滑な膜を貼り付けたグラスウールが適している。
【００４８】
また、例えば、より強度の高い吸音部材は、単体で形状を保つことができるため設置性を良くする。強度の高い吸音部材としては、グラスウールが適している。また、より加工性の良い吸音部材は、静電スピーカユニット１１の形状に合わせて（例えば板形状に）加工しやすく、厚み調節（例えば厚みの均一化）を容易にする。加工性の良い吸音部材としては、ポリウレタンフォーム、又は厚手の不織布（工業繊維又は動物の毛からなる物）が適している。ポリウレタンフォームは、他の部材より低コストである点においても優れる。
【００４９】
以上のように、ポリウレタンフォームは、吸音率が高く、当接した静電スピーカユニット１１の表面を平滑にするだけでなく、加工性がよく、かつ低コストであるため、スピーカ１の吸音材として最適である。
【００５０】
また、保持枠１０Ｌおよび保持枠１０Ｒは、ポリプロピレンからなる態様に限らない。例えば、より強度の高い部材を用いると、薄く又は小さくしても、静電スピーカユニット１１及び吸音スポンジ１２を保持することができる。強度の高い部材としては、ＰＥＴ板又は炭素繊維強化樹脂板が適している。
【００５１】
例えば、より軽量な部材は、スピーカ１を軽くすることができ、スピーカ１の設置性を良くする。軽量な部材としては、ポリプロピレン発泡シート、ダンボール又は炭素繊維強化樹脂板が適している。
【００５２】
例えば、より加工性の良い部材は、静電スピーカユニット１１及び吸音スポンジ１２の形状に合わせて加工しやすい。加工性の良い部材としては、ダンボール又はポリプロピレン発泡シートが適している。なお、ダンボール及びポリプロピレン発泡シートは、低コストでもある。
【００５３】
以上のように、ダンボール及びポリプロピレン発泡シートは、静電スピーカユニット１１、吸音スポンジ１２、及び壁面Ｗの配置を保持するための強度を備え、軽量であり、加工性がよく、かつ低コストであるため、スピーカ１の保持部材として最適である。
【００５４】
また、保持枠１０Ｌおよび保持枠１０Ｒは、スピーカ１を高さ方向に見てＬ字型（又は左右反転のＬ字型）に限らず、例えばコの字型であってもよく、配置を保持するものであればどんな形状であってもよい。
【００５５】
次に、実施形態２に係るスピーカ２について、図４を用いて説明する。図４（Ａ）は、スピーカ２の正面の斜投影図である。図４（Ｂ）は、Ｂ−Ｂ断面図である。スピーカ１と重複する構成の説明は省略する。
【００５６】
スピーカ２は、スピーカ１に備えられた保持枠１０Ｌ及び保持枠１０Ｒに変えて、静電スピーカユニット１１、吸音スポンジ２１、および遮音材２２を筐体２０で保持するものである。
【００５７】
スピーカ２は、図４（Ｂ）に示すように、静電スピーカユニット１１、筐体２０、吸音スポンジ２１、および遮音材２２を備える。
【００５８】
吸音スポンジ２１の形状、材質、および静電スピーカユニット１１との配置関係は、スピーカ１の吸音スポンジ１２とそれぞれ同じである。
【００５９】
遮音材２２は、厚さ３ｍｍの樹脂板からなる。遮音材２２の正面（Ｚ側の面）は、図４（Ｂ）に示すように、静電スピーカユニット１１が配置される側と反対側で吸音スポンジ２１の背面（−Ｚ側の面）に当接されている。遮音材２２の正面の形状は、吸音スポンジ２１の背面の形状と一致している。すなわち、遮音材２２の表面積は、静電スピーカユニット１１の表面積より大きい。ただし、遮音材２２の表面積は、平面波が放射状に広がらないため、少なくとも静電スピーカユニット１１の表面積と同じであればよい。
【００６０】
筐体２０は、図４（Ａ）に示すように、高さ方向（図中Ｙ、−Ｙ方向）に長く、厚み（図中Ｚ、−Ｚ方向）が薄い直方体形状の箱である。筐体２０は、静電スピーカユニット１１の正面の縁以外を露出するように正面が開口されている。筐体２０の各面は、板紙厚５ｍｍのダンボールからなる。
【００６１】
筐体２０は、図４（Ｂ）に示すように、静電スピーカユニット１１、吸音スポンジ２１、および吸音材２２を一体に収納する。すなわち、図４（Ｂ）中の点線に示す筐体内部２４の高さ（図中Ｙ、−Ｙ方向）及び幅（図中Ｘ、−Ｘ方向）は、紙の工業規格の寸法Ａ０よりそれぞれわずかに長い。筐体内部２４の奥行（図中Ｚ、−Ｚ方向）は、静電スピーカユニット１１の厚み、吸音スポンジ２１の厚み、および遮音材２２の厚みの合計長に等しい。ただし、筐体内部２４の高さ及び幅は、紙の工業規格の寸法Ａ０に限らず、任意でもよく、静電スピーカユニット１１、吸音スポンジ１２、及び遮音材２２を収納するように設けられればよい。
【００６２】
吸音スポンジ２１を通過した平面波は、遮音材２２に到達する。遮音材２２は、平面波を通過させないため、背面方向に音を出さない。仮に、遮音材２２を通過する平面波が存在しても、筐体２０の背面も、遮音材としてスピーカ２の背面方向に音が出力されることを防ぐ。
【００６３】
スピーカ２は、吸音スポンジ２１及び遮音材２２により背面から音を出さないため、背面に音を反射させる物が存在しても設置可能である。さらに、スピーカ２は、筐体２０を備えていることより、可搬性に優れ、かつ設置性が良い。
【００６４】
次に、図５および図６を用いて、スピーカ２の変形例に係るスピーカ２Ａについて説明する。図５は、スピーカ２Ａの正面の斜投影図である。図６は、スピーカ２Ａの設置状態を示す図である。スピーカ２と重複する構成の説明は省略する。
【００６５】
スピーカ２Ａは、吊り下げられて設置可能である点において、スピーカ２と相違する。スピーカ２は、静電スピーカユニット１１、筐体２０、吸音スポンジ２１、遮音材２２、フック２３Ｕ、およびフック２３Ｂを備える。フック２３Ｕは、筐体２０の上面に取り付けられる。フック２３Ｂは、筐体２０の下面に取り付けられる。
【００６６】
スピーカ２Ａは、図６（Ａ）に示すように、天井Ｃに固定されたブラケット２００にフック２３Ｕが引っ掛けられることにより、吊り下げ設置される。また、スピーカ２Ａは、図６（Ｂ）に示すように、天井Ｃに固定されたブラケット２００にフック２３Ｕが引っ掛けられ、かつ、壁面Ｗに固定されたブラケット２０１にフック２３Ｂが引っ掛けられることにより、斜めに吊り下げ設置される。どちらの設置においても、スピーカ２Ａは、背面方向に音を出さないため、背面が壁面または部屋の四隅に向けられても設置可能である。
【００６７】
次に、実施形態３に係るスピーカ３について図７を用いて説明する。図７（Ａ）は、スピーカ３の下面の斜投影図である。図７（Ｂ）は、設置されたスピーカ３のＣ−Ｃ断面図である。スピーカ１と重複する構成の説明は省略する。
【００６８】
スピーカ３は、正面に媒体（例えばポスター３２）が繰り返し貼り付け可能な点において、スピーカ１及びスピーカ２と相違する。スピーカ３は、保持枠１０ＬＡ、保持枠１０ＲＡ、静電スピーカユニット１１、吸音スポンジ１２を備える。保持枠１０ＬＡは、前面部１００ＬＡおよび側面部１０１Ｌからなる。保持枠１０ＲＡは、前面部１００ＲＡおよび側面部１０１Ｒからなる。
【００６９】
前面部１００ＬＡおよび前面部１００ＲＡは、ＰＰ（；Ｐｏｌｙ−Ｐｒｏｐｙｌｅｎｅ）加工により、それぞれの表面にポリプロピレンシートが圧着されている。その結果、前面部１００ＬＡおよび前面部１００ＲＡは、それぞれの表面が平滑になり、かつそれぞれの表面の強度が増している。
【００７０】
前面部１００ＬＡ及び前面部１００ＲＡは、それぞれ静電スピーカユニット１１よりスピーカ３の正面側に備えられるため、ポスター３２を貼り付け可能である。また、静電スピーカユニット１１は、当接する吸音スポンジ１２の正面が平滑であるため、正面が平滑になる。そして、ポスター３２は、左右の縁を除いて、正面が平滑な静電スピーカユニット１１に当接することにより、平滑となるため、スピーカ３の見た目を良くする。また、一般的に、ポスター等の紙媒体は、背面が凸凹面に接すると、凸凹面に密着せず浮き上がった場所を例えば指で抑えられると破損しやすくなる。しかし、ポスター３２は、接する静電スピーカユニット１１の正面が平滑であるため、例えば指で押さえられても破損しにくい。さらに、静電スピーカユニット１１の露出する正面は、形状が紙の工業規格Ａ０と略同一であるため、平面波をポスター３２のほぼ全面から出力することができる。
【００７１】
また、前面部１００ＬＡ及び前面部１００ＲＡは、それぞれの表面が平滑、かつ強度が増しているため、接着テープ３１を繰り返し貼り付け可能である。ただし、スピーカ３は、前面部１００ＬＡおよび前面部１００ＲＡにＰＰ加工がされてなくても、それぞれ接着テープ３１によりポスター３２を貼り付けることができる。なお、接着テープ３１に限らず、接着剤によってポスター３２を貼り付ける態様も可能である。無論、実施形態１に係るスピーカ１又は実施形態２に係るスピーカ２の正面にポスター３２を貼り付けても構わない。
以上のように、薄型、軽量、かつ形状が保持可能なスピーカ３は、容易に交換可能なポスター３２と併せて、ＰＯＰ（；Ｐｏｉｎｔ  ｏｆ  Ｐｕｒｃｈａｓｅ）広告として用いることができる。
【符号の説明】
【００７２】
１、２、２Ａ、３…スピーカ
１０Ｌ、１０ＬＡ…保持枠
１０Ｒ、１０ＲＡ…保持枠
１１…静電スピーカユニット
１２、２１…吸音スポンジ
１３…孔
１４…アンプ
１５…スピーカケーブル
１６…両面テープ
２０…筐体
２４…筐体内部
２２…遮音材
２３Ｂ、２３Ｕ…フック
１００Ｌ、１００ＬＡ…前面部
１００Ｒ、１００ＲＡ…前面部
１０１Ｌ、１０１Ｒ…側面部
２００、２０１…ブラケット
【図１】
2014165862.tif 000003
【図２】
2014165862.tif 000004
【図３】
2014165862.tif 000005
【図４】
2014165862.tif 000006
【図５】
2014165862.tif 000007
【図６】
2014165862.tif 000008
【図７】
2014165862.tif 000009